(57)【要約】【課題】マガジンの正面側から幅方向にずれて当該マガジンを観察したときに、待避位置にある残数表示部を表示位置にある残数表示部と誤認し難いマガジンを備える什器を提供する。【解決手段】什器１００は、マガジン１４０およびマガジン１４０を搭載するための多段の棚部１３０を備える。マガジン１４０は、搭載部１０と、押板２０と、付勢部材（リール５０）と、揺動部材１２０と、残数表示部３１と、を備え、前進する押板２０が所定の位置を通過するとき、揺動部材１２０が揺動するとともに、残数表示部３１が上方領域または下方領域において上下に移動することにより、待避位置から表示位置に遷移してたばこ商品６０の個数が所定数Ｎ以下であることを報知する。【選択図】図１
2014188313.tif 000002
【特許請求の範囲】
【請求項１】
側壁部および複数の商品を搭載するための底板部を有し前記商品が前後方向に一列に搭載される搭載部と、前記搭載部に沿って前後移動するように設けられた押板と、前記押板を前方に付勢する付勢部材と、前記押板が前後方向の所定の位置を通過する際に揺動する揺動部材と、前記搭載部に搭載される前記商品の個数が所定数Ｎ（Ｎは自然数）以下となったことを報知する残数表示部と、を備えるマガジン、および、前記マガジンを搭載するための多段の棚部を備える什器であって、
前記残数表示部は、前記商品の上面と、当該前記商品を搭載する前記マガジンの上段に位置する他のマガジンの下面との間に位置する上方領域または前記商品の下面と、当該前記商品を搭載する前記マガジンの下段に位置する他のマガジンに搭載される商品の上面との間に位置する下方領域において上下移動可能に配置されており、
前進する前記押板が前記所定の位置を通過するとき、前記揺動部材が揺動するとともに前記残数表示部が前記上方領域または前記下方領域において上下に移動することにより、前記マガジンの正面側から視認可能な表示位置と、前記表示位置と異なる待避位置と、に遷移して前記商品の個数が前記所定数Ｎ以下になったことを報知することを特徴とする什器。
【請求項２】
前記揺動部材は、前記前後方向に伸長する長尺部材であって前端と後端とを有し、前記前端から前記後端までの間に揺動軸を備え前記側壁部の主面に平行な面内において回転方向に揺動し、
前記揺動部材の前記前端は、前記揺動部材の揺動により上方へまたは下方へと上下移動する請求項１に記載の什器。
【請求項３】
前記残数表示部は、前記揺動部材の前記前端に設けられている請求項２に記載の什器。
【請求項４】
前記回転方向に揺動する前記揺動部材に対して一方側へ回転する回転作用を付与する付勢手段と、
前記揺動部材が前記一方側へ回転することに対抗する対抗作用を付与する対抗手段を有し、
前進する前記押板が前記所定の位置を通過するとき、前記揺動部材に対する前記付勢手段による前記回転作用が前記対抗手段による前記対抗作用を上回ることにより前記揺動部材が揺動する請求項２または３に記載の什器。
【請求項５】
前記上方領域において、前記長尺部材である前記揺動部材が前記商品の上面に対して垂下するよう、前記揺動軸が前記商品の上面に対向する面に軸受されている請求項４に記載の什器。
【請求項６】
前記揺動軸が、前記揺動部材の前記前端と前記後端との間に設けられている請求項５に記載の什器。
【請求項７】
前記付勢手段が前記揺動部材の前記後端に設けられた錘部であり、
前記対抗手段が、前記押板から上方へ延在する延在部であり、
前記延在部は、前記底板部に平行な姿勢の前記揺動部材の下端に当接可能に伸長しており、前記延在部が前記揺動部材の下端に当接することにより、前記揺動部材の前記前端が下方に移動する方向に前記揺動部材が回転揺動することに対抗する請求項６に記載の什器。
【請求項８】
前記下方領域において、前記揺動軸が前記商品の下面に対向する面に軸受され、前記長尺部材である前記揺動部材が前記前後方向に伸長する向きで配置されている請求項４に記載の什器。
【請求項９】
前記揺動軸が、前記揺動部材の前記前端と前記後端との間に設けられている請求項８に記載の什器。
【請求項１０】
前記付勢手段が、前記揺動部材の前端に設けられた錘部であり、
前記対抗手段が、前記後端から上方に突出して前記商品の下面に当接する突出部であり、
前記突出部は前記商品の下面に当接することにより、前記揺動部材の前記前端が下方に移動する方向に前記揺動部材が回転揺動することに対抗する請求項９に記載の什器。
【発明の詳細な説明】
【技術分野】
【０００１】
本発明は、複数の商品が前後方向に一列に搭載されるマガジンを備える什器に関し、特に、商品残数を報知する機能を有するマガジンを備える什器に関する。
【背景技術】
【０００２】
コンビニエンスストアなどの店舗では、様々な商品を一方方向に配列して搭載する複数のマガジンを備える、いわゆる什器（商品陳列棚）が利用されている。ここでマガジンは、複数の商品を前後方向に一列に搭載する容器であり、カートリッジまたはホルダーなどの他の名称であって同様の機能を有するものを包含する。複数のマガジンと、これらを上下方向および幅方向に設置して配列する多段棚とを備えて什器が構成される。
多様な商品のうち、例えばたばこ商品などの特定の商品を陳列するための什器は、電子キャッシュレジスタなどの販売処理装置が載置されたレジカウンタ上またはその周辺に配置されることが一般的である。ここでいうたばこ商品とは、実際に喫煙される紙巻たばこではなく、複数の紙巻たばこを収容している直方体状のパッケージを意味している。
【０００３】
ところでマガジンに搭載された商品の残数が減ってくると、店舗従業員などのマガジン使用者（以下、「オペレータ」という）は、商品を適宜補充する必要がある。したがって商品の個数を人為的に数えなくとも、商品の残数が減ってきたことを認識したいという要望があった。これに対し、マガジンの搭載部に搭載されている商品が所定個数以下となったことを表示する技術が提案されている。
【０００４】
例えば特許文献１には、複数の商品が前後方向に一列に搭載される搭載部と、上記搭載部に沿って前後移動するように設けられた押板と、上記押板を前方に付勢する付勢部材と、上記搭載部に対して移動可能に設けられ上記付勢部材により前方に付勢される上記押板により駆動される移動部と、を備えるマガジンの発明が開示されている。具体的には、特許文献１には、移動部材として揺動部材を備え、搭載部における底板部の下方に揺動部材が配置されるマガジンの発明（以下、「従来技術１」ともいう）が開示されている（例えば図１から図９）。
上述のとおり、従来技術１に示される揺動部材は、底板部と平行な面内において前端が回転揺動する部材であり、待避位置は、表示位置に対し左右位置および前後位置が変化する。
【先行技術文献】
【特許文献】
【０００５】
【特許文献１】国際公開第１２／１２７８４７号パンフレット
【発明の概要】
【発明が解決しようとする課題】
【０００６】
ところでコンビニエンスストアなどの店舗では、レジカウンタにおいて電子キャッシュレジスタが横方向に複数配列される場合がある。かかる場合に、各電子キャッシュレジスタからレジカウンタ上またはその周辺に配置された従来技術１のマガジンを観察するとき、電子キャッシュレジスタごとにマガジンに対する視認角度が異なる。このとき、マガジンの正面側から幅方向に移動して斜めに位置するいずれかの電子キャッシュレジスタの位置から、従来技術１を観察したときに、待避位置にある残数表示部を表示位置にある残数表示部と誤認する虞があった。
即ち、従来技術１のマガジンにおいて、待避位置にある残数表示部は、表示位置にある残数表示部に対し左右位置が変化する。したがって、オペレータが正面側からマガジンを観察したときには、表示位置にある残数表示部は視認され、待避位置にある残数表示部は実質的に視認されないか、少なくとも表示位置として誤認するほどには視認されない。しかしオペレータがマガジンの正面から幅方向に移動して当該マガジンを観察したとき、斜め奥方向において待避位置にある残数表示部を視認してしまう場合があった。このとき当該残数表示部が待避位置にあるのか、表示位置にあるのかを判断し難い場合があった。
【０００７】
オペレータはマガジンの真正面からマガジンを観察する場合に限らず、幅方向に斜めから観察することも多い。特に多数のマガジンを設置する什器を使用する場合には、什器の幅寸法が大きく、マガジンを斜め方向から観察する機会が増大する。したがって、什器を使用するオペレータにとって、幅方向に斜めからマガジンを観察したときにも残数表示部が待避位置にあるのか表示位置にあるのかを明確に視認できることが好ましい。
【０００８】
本発明は上述のような課題に鑑みてなされたものであり、マガジンの正面側から幅方向にずれて当該マガジンを観察したときに、待避位置にある残数表示部を表示位置にある残数表示部と誤認し難いマガジンを備える什器を提供するものである。
【課題を解決するための手段】
【０００９】
本発明の什器は、側壁部および複数の商品を搭載するための底板部を有し上記商品が前後方向に一列に搭載される搭載部と、上記搭載部に沿って前後移動するように設けられた押板と、上記押板を前方に付勢する付勢部材と、上記押板が前後方向の所定の位置を通過する際に揺動する揺動部材と、上記搭載部に搭載される上記商品の個数が所定数Ｎ（Ｎは自然数）以下となったことを報知する残数表示部と、を備えるマガジン、および、上記マガジンを搭載するための多段の棚部を備える什器であって、上記残数表示部は、上記商品の上面と、当該上記商品を搭載する上記マガジンの上段に位置する他のマガジンの下面との間に位置する上方領域または上記商品の下面と、当該上記商品を搭載する上記マガジンの下段に位置する他のマガジンに搭載される商品の上面との間に位置する下方領域において上下移動可能に配置されており、前進する上記押板が上記所定の位置を通過するとき、上記揺動部材が揺動するとともに上記残数表示部が上記上方領域または上記下方領域において上下に移動することにより、上記マガジンの正面側から視認可能な表示位置と、上記表示位置と異なる待避位置と、に遷移して上記商品の個数が所定数Ｎ以下になったことを報知することを特徴とする。
【発明の効果】
【００１０】
本発明の什器は、各マガジンにおける残数表示部が、商品の上面と、当該商品を搭載するマガジンの上段に位置する他のマガジンの下面との間に位置する上方領域または商品の下面と、当該商品を搭載するマガジンの下段に位置する他のマガジンに搭載される商品の上面との間に位置する下方領域において上下移動可能に配置されている。
そして残数表示部が、上記上方領域または上記下方領域において上下に移動することにより、表示位置と待避位置とに遷移して、搭載される商品の個数が所定数Ｎ以下となったことを報知する。
かかる構成によれば、残数表示部は表示位置と待避位置とにおいて上下位置が変化するため、オペレータがマガジンの正面から幅方向に移動して当該マガジンを観察したとき、表示位置よりも斜め奥方向において待避位置にある残数表示部を視認する虞がない。したがって、オペレータは、マガジンを幅方向に斜めから観察したときにも残数表示部による残個数報知を正しく把握することができる。
【図面の簡単な説明】
【００１１】
【図１】第１実施形態に係る什器の部分側面図であり、残数表示部が待避位置にある状態を示す。
【図２】第１実施形態に係る什器の部分側面図であり、残数表示部が表示位置にある状態を示す。
【図３】第１実施形態に係る什器の部分正面図であり、残数表示部が待避位置にある状態を示す。
【図４】第１実施形態に係る什器の部分正面図であり、残数表示部が表示位置にある状態を示す。
【図５】第２実施形態に係る什器の部分側面図であり、残数表示部が待避位置にある状態を示す。
【図６】第２実施形態に係る什器の部分側面図であり、残数表示部が表示位置にある状態を示す。
【図７】第２実施形態に係る什器の部分正面図であり、残数表示部が待避位置にある状態を示す。
【図８】第２実施形態に係る什器の部分正面図であり、残数表示部が表示位置にある状態を示す。
【発明を実施するための形態】
【００１２】
本発明は、揺動部材を回転揺動させるとともに、限られた領域において、当該揺動部材に備わる残数表示部を上下に移動させて搭載される商品の個数が所定数Ｎ以下であることを報知するものである。残数表示部は、商品の上面より上方に位置する上方領域または商品の下面より下方に位置する下方領域において上下移動可能に配置される。
一般的に、什器内において上記上方領域あるいは上記下方領域は、上下に隣り合うマガジンの間に存在する僅かな空間である。本発明者らは、この僅かな空間を利用して残数表示部を上下に移動させることにより、上記課題を解決可能であることを見出し、本発明を完成させた。
本発明によれば、残数表示部の待避位置と表示位置との遷移は、残数表示部の高さ位置の変化によりなされる。したがって、マガジンの正面側から幅方向に移動して当該マガジンを観察したとき、残数表示部の表示位置の奥方向に待避位置にある残数表示部を視認することがない。
【００１３】
以下、本発明の第１実施形態および第２実施形態について、図面を用いて説明する。すべての図面において、同様の構成要素には同一の符号を付し、重複する説明は適宜省略する。尚、本実施の形態では図面上、前後左右上下の方向を規定して説明する場合がある。しかし、これは構成要素の相対関係を簡単に説明するために便宜的に規定するものであり、本発明を実施する製品の製造時や使用時の方向を限定するものではない。特にマガジンに関連する前後は、マガジンの正面側を前方向、背面側を後方向とする。またマガジンに関連する左右は、マガジンの幅方向であって正面側から観察したときの左右をいう。
【００１４】
本発明の什器の各種の構成要素は、個々に独立した存在である必要はない。本発明は、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１５】
第１実施形態は、本発明の什器の一の実施態様の例に関する。第１実施形態は、揺動部材および残数表示部が上方領域に配置され、側壁部の主面と平行な面内において揺動部材が回転揺動するとともに、これに連動して残数表示部が上下移動する例を示す。第１実施形態は、前進する押板が所定位置を通過するとき、これに連動して揺動部材が回転揺動する態様を示す。
第２実施形態は、本発明の什器の他の実施態様の例に関する。第２実施形態は、揺動部材および残数表示部が下方領域に配置され、側壁部の主面と平行な面内において揺動部材が回転揺動するとともに、これに連動して残数表示部が上下移動する例を示す。第２実施形態は、前進する押板が所定位置を通過するとき、これにともなう他の要素の変化に連動して揺動部材が回転揺動する態様を示す。
【００１６】
＜第１実施形態＞
図１は、第１実施形態に係る什器１００の部分側面図であり、残数表示部３１が待避位置にある状態を示す。図２は、第１実施形態に係る什器１００の部分側面図であり、残数表示部３１が表示位置にある状態を示す。図３は、第１実施形態に係る什器１００の部分正面図であり、残数表示部３１が待避位置にある状態を示す。図４は、第１実施形態に係る什器１００の部分正面図であり、残数表示部３１が表示位置にある状態を示す。
図１から図４は、什器１００に設けられた多段の棚部１３０のうちの２段の棚部１３０を図示している。図１および図２において、２段の棚部１３０のそれぞれに一台ずつのマガジン１４０が設置された状態を示すが、上段のマガジン１４０については、構成の一部およびたばこ商品６０について図示省略する。図１および図２では、本実施形態の構成の詳細については主として、上段のマガジン１４０を搭載する棚部１３０の下面１３０ａに軸受された揺動部材１２０、上段のマガジン１４０に設けられたスカート部１３２、および下段に図示するマガジン１４０を用いて説明する。図３および図４では、下段の棚部１３０の中央に配置されるマガジン１４０、上段のマガジン１４０を搭載する棚部１３０の下面１３０ａに軸受された揺動部材１２０に備わる残数表示部３１、および上段のマガジン１４０に設けられたスカート部１３２を用いて説明する。
【００１７】
本実施形態に係る什器１００は、マガジン１４０およびマガジン１４０を搭載するための多段の棚部１３０を備える。
マガジン１４０は、側壁部１２および複数の商品（たばこ商品６０）を搭載するための底板部１１を有し商品（たばこ商品６０）が前後方向に一列に搭載される搭載部１０と、搭載部１０に沿って前後移動するように設けられた押板２０と、押板２０を前方に付勢する付勢部材（リール５０）と、を備える。またマガジン１４０は、押板２０が前後方向の所定の位置を通過する際に揺動する揺動部材１２０と、揺動部材１２０に設けられ搭載部１０に搭載される商品（たばこ商品６０）の個数が所定数Ｎ以下となったことを報知する残数表示部３１と、を備える。
残数表示部３１は、商品（たばこ商品６０）の上面と、当該商品（たばこ商品６０）を搭載するマガジン１４０の上段に位置する他のマガジン１４０の下面との間に位置する上方領域において上下移動可能に配置されている。
本実施形態の変形例としては、残数表示部３１を、商品（たばこ商品６０）の下面と、当該商品（たばこ商品６０）を搭載するマガジン１４０の下段に位置する他のマガジン１４０に搭載される商品（たばこ商品６０）の上面との間に位置する下方領域において上下移動可能に配置することもできる。上記変形例は、後述する第２実施形態において詳細に説明する。
尚、什器１００における棚部１３０の最上段に位置するマガジン１４０には、さらに上段に位置する他のマガジン１００が存在しない。したがって最上段に位置するマガジン１４０の上方領域の上限部分は特に限定されなくてもよい。マガジン１００において例えば図示省略する天井部を備える棚部１３０が備えられる場合には、当該天井部を最上段に位置するマガジン１４０の上方領域の上限部分とすることもできる。
また什器１００における棚部１３０の最下段に位置するマガジン１４０には、さらに下段に位置する他のマガジン１００が存在しない。したがって最下段に位置するマガジン１４０の下方領域の下限部分は特に限定されなくてもよい。
前進する押板２０が上記所定の位置を通過するとき、揺動部材１２０が揺動するとともに、残数表示部３１が上方領域において上下に移動する。これにより、マガジン１４０の正面側から視認可能な表示位置と、表示位置と異なる待避位置と、に遷移して商品（たばこ商品６０）の個数が所定数Ｎ以下になったことを報知する。より詳しくは、本実施形態に係る什器１００におけるマガジン１４０は、残数表示部３１が上方領域において下方から上方に移動することにより待避位置から表示位置へと遷移する。
本実施形態の変形例としては、前進する押板２０が上記所定の位置を通過するとき、揺動部材１２０が揺動するとともに、残数表示部３１が上方から下方へと移動する。上記変形例は、後述する第２実施形態において詳細に説明する。
【００１８】
本実施形態に係る什器に設置されるマガジン１４０は、上記上方領域という限られた領域において残数表示部３１を上下移動させて、搭載される商品（たばこ商品６０）の個数が所定数Ｎ以下であることを報知する。本実施形態において、表示位置にある残数表示部３１と同じ高さ位置において待避位置にある残数表示部３１は存在しない。そのため、オペレータは、マガジン１４０の正面側から幅方向にずれて観察したときに、待避位置にある残数表示部３１を表示位置にある残数表示部３１と誤認し難い。
【００１９】
本実施形態に係る什器１００は、マガジン１４０と棚部１３０とを備える。什器１００において、マガジン１４０は、上下方向および幅方向に配列されることが一般的である。本実施形態に係る什器１００において、マガジン１４０は、棚部１３０の上面に設けられた溝にマガジン１４０の側壁部１２の下端から下方に延伸する突状部であるブレード１９（図１、図２）をはめ込むことにより、安定的に設置されている。あるいは図示省略する他の態様では、マガジン１４０の底面に凹部を設けるとともに棚部１３０に上記凹部に対応する凸部を設けてこれらを嵌合することにより、棚部１３０にマガジン１４０を安定的に設置することができる。
本実施形態に係る什器１００は、図３および図４に示すとおり、マガジン１４０が前後方向および幅方向に整然と配列されている。一のマガジン１４０と、これに上下方向に隣り合う他のマガジン１４０との間には、僅かな領域が存在する。即ち、上方領域は、一のマガジン１４０に搭載されるたばこ商品６０の上面と、上段に搭載される他のマガジン１４０を設置するための棚部１３０の下面１３０ａと、の間である。
【００２０】
図１から図４に示すようにマガジン１４０は、スカート部１３２を有する。スカート部１３２は、一のマガジン１４０に設けられた残数表示部３１の前方に位置する部材である。スカート部１３２は、上下に移動して表示位置と待避位置の遷移する残数表示部３１の前方に位置し、表示位置にある残数表示部３１をマガジン１４０の正面側から視認可能とするための窓部７１を有する。またスカート部１３２は、マガジン１４０の正面側から待避位置にある残数表示部３１の視認を遮る遮蔽部を有する。ここで視認を遮るとは、待避位置にある残数表示部３１が、マガジン１４０の正面側から、完全に視認されない場合および表示位置にある残数表示部３１に対し相対的に視認され難い場合を含む。
本実施形態において具体的に図示するスカート部１３２は、遮蔽部と、当該遮蔽部の任意の領域に設けられた窓部７１と、からなる。什器１００において、スカート部１３２が取り付けられる位置は任意である。たとえば、一のマガジン１４０における残数表示部３１に対応するスカート部１３２を当該一のマガジン１４０に隣り合う他のマガジン１４０の任意の箇所に取り付けて、所定の位置まで延在させてよい。スカート部１３２の延在方向は任意であり、スカート部１３２が取り付けられた箇所から下方に延在する態様、上方に延在する態様、左右方向に延在する態様を含む。あるいは、スカート部１３２を棚部１３０の任意の箇所に取り付けることもできる。たとえば、一のマガジン１４０における残数表示部３１に対応するスカート部１３２を当該一のマガジン１４０における搭載部１０に支持せしめて設けることができる。また一のマガジンにおける残数表示部３１に対応するスカート部１３２を、当該一のマガジンの上段に位置する他のマガジン１４０における搭載部１０、または当該他のマガジン１４０を載置する棚部１３０に支持させてもよい。
尚、スカート部１３２の取り付け位置およびスカート部１３２の態様は、什器１００における全てのマガジン１４０において共通していてもよいし、一の箇所に載置されるマガジン１４０と他の箇所に載置されるマガジン１４０とで異なっていてもよい。たとえば、棚部１３０において最上段あるいは最下段に載置されるマガジン１４０と、それ以外の段に載置されるマガジン１４０とにおいて、スカート部１３２の取り付け位置が異なっていてもよい。また本実施形態における什器１００は、上下に移動する残数表示部３１が、上方にあるとき表示位置とされる一のマガジン１４０と、下方にあるとき表示位置とされる他のマガジン１４０と、を備える態様を包含する。たとえば、什器１００を任意の高さで上段部と下段部とに分け、上段部に載置されるマガジン１４０における残数表示部３１は、上方に位置するときに表示位置となり、下段に載置されるマガジン１４０における残数表示部３１は、下方に位置するときに表示位置とすることもできる。かかる場合には、各マガジン１４０における残数表示部３１に対応するスカート部１３２ごとに窓部７１の設けられる位置を異ならしめることができる。
【００２１】
本実施形態におけるスカート部１３２は、搭載部１０の前端に設けられる前壁部１３の前壁部下端１３１（図３、図４）から下方に延在する部材である。本実施形態において、一のマガジン１４０の上方領域は、スカート部１３２の背面から搭載部１０の後端に設けられる後壁部１４の前面まで、および搭載部１０に搭載されるたばこ商品６０の左右一対の外側面の間である。ただし、他の例として、１つのマガジン１４０の上方領域として、前壁部１３より前方の空間あるいは後壁部１４より後方の空間を利用することもできる。したがって、上記変形例は、後述する揺動部材１２０あるいは残数表示部３１を前壁部１３より前方の空間あるいは後壁部１４より後方の空間に含まれるように配置することを含む。
本実施形態に係る什器１００は、マガジン１４０の上方領域において、残数表示部３１を配置するとともに、これを上下に移動させることによって表示位置と待避位置とに遷移させるものである。
スカート部１３２には窓部７１が設けられている。窓部７１は、表示位置にある残数表示部３１をマガジン１４０の正面側から視認させるための構成である。また窓部７１の上方または下方は、待避位置にある残数表示部３１がマガジン１４０の正面側から視認されないよう遮蔽する遮蔽部となっている。
尚、什器１００における棚部１３０の最上段に位置するマガジン１４０には、さらに上段に位置する他のマガジン１００が存在しない。したがって窓部７１を備えるスカート部１３２は、適宜、任意の箇所に設けることができる。たとえば、より具体的には、棚部１３０の最上段に位置するマガジン１４０の上方に位置する、棚部１３０の天井部（図示省略）の前端から下方に垂下するスカート部１３２を設けてもよい。あるいは、棚部１３０の最上段に位置するマガジン１４０において搭載部１０の側壁部１２から上方に伸長する図示省略する柱部および上記柱部からたばこ商品６０の上面を覆って延在する天井部を設け、当該天井部の前端から垂下するスカート部１３２を設けることもできる。
【００２２】
マガジン１４０は、搭載部１０と、押板２０と、付勢部材（リール５０）と、残数表示部３１を備える揺動部材１２０と、を備える。
押板２０は、搭載部１０に沿って前後移動するように設けられている。前進する押板２０が上記所定の位置を通過するとき、揺動部材１２０が揺動するとともに、残数表示部３１が上方領域において上下に移動する。
前進する押板２０が通過する上記所定の位置は、搭載部１０の前端近傍に存在する。上記所定の位置は、残個数として報知を所望する個数の商品（たばこ商品６０）が搭載部１０に搭載され、その商品（たばこ商品６０）を搭載部１０の前端に押すことのできる位置の前後に設けることができる。
尚、搭載される商品（たばこ商品６０）は銘柄により、前後厚み寸法が異なる場合があり、一の銘柄の商品（たばこ商品６０）の所定数Ｎは、他の銘柄の商品（たばこ商品６０）の所定数Ｎと異なる場合がある。
本実施形態におけるマガジン１４０は、押板２０が前後方向の所定の位置を通過する際に揺動する揺動部材１２０を備える。揺動部材１２０は残数表示部３１を備える部材である。揺動部材１２０が揺動するとき、これに連動して残数表示部３１が上方領域において上方へまたは下方へと上下移動する。
【００２３】
揺動部材１２０は、搭載部１０の前後方向に沿って伸長する長尺部材である。上記長尺部材である揺動部材１２０は、前端１２１と後端１２２とを有し、前端１２１から後端１２２までの間に揺動軸１４１（図１および図２）を備える。揺動軸１４１は、例えば、搭載部１０の幅方向に平行に伸長する棒状の部材とすることができる。図１および図２に示される揺動軸１４１は、揺動軸１４１の側面が示されており、揺動軸１４１は図面の奥方向（即ち、搭載部１０の幅方向）に伸長する棒状部材である。
かかる揺動軸１４１に軸支された揺動部材１２０は側壁部１２の主面に平行な面内において回転方向に揺動する。ただし、揺動部材１２０の回転方向への揺動は３６０°の回転を現実的に行わず、所定の回転角度の範囲において揺動するものを含む。即ち、揺動部材１２０は、上方領域という限定された領域に配置されており、回転方向に揺動する揺動範囲が限定される。什器１００において回転方向に揺動する揺動部材１２０の揺動は、その前端１２１において観察すると、前端１２１が上下に移動する程度である。即ち、回転揺動によって上下に移動する前端１２１は、厳密には前後方向の移動も含まれるが、肉眼で観察するレベルでは、前後方向の移動は認識されない程度である。
【００２４】
本実施形態における揺動軸１４１は、棒状の軸体に限定されず、回転可能な連結部あるいは回転可能な回転部を包含する。また本実施形態を含む本発明に関して「軸受される」とは、回転部が任意の対象物に回転可能に固定されることを広く含む。
【００２５】
揺動部材１２０を長尺部材とすることにより、上方領域という限定的な領域において、小さい作用で揺動を促すとともに、前端１２１を含む前端部を上方領域の範囲内において大きく上下に移動させることが可能である。
尚、什器１００は棒状体の長尺部材を例に示したが、本実施形態において用いられる長尺部材である揺動部材１２０は棒状体に限定されない。上記長尺部材は、前後方向の最長径が幅方向の最長径より大きい部材であればよい。より好ましくは、上記長尺部材は、前後方向の長さが略均一であり、また幅方向の長さが略均一であり、前後方向の長さが幅方向の長さより大きい部材である。長尺部材は、上方領域に配置されることが可能な形状であればよく、例えばプレート部材などであってもよい。あるいは、揺動部材１２０はまっすぐに伸長する棒状体ではなく、任意の箇所で屈曲または湾曲する棒状体であってもよい。
【００２６】
尚、本実施形態における揺動部材１２０は、側壁部１２の主面に平行な面内において回転揺動するものに限定されない。本実施形態は、上方領域の内部において可能なその他の揺動を行う揺動部材１２０を包含する。例えば、本実施形態において、揺動部材１２０は、搭載部１０の底板部１１の面内に平行な面において回転方向に揺動する態様を含む。係る態様では、揺動部材１２０の幅方向の揺動の動作を間接部材により上下方向の動作に変換して残数表示部３１に伝達し、これによって残数表示部３１を上下に移動させてもよい。
【００２７】
本実施形態におけるマガジン１４０は、例えば残数表示部３１は、揺動部材１２０に設けられる。
特には、残数表示部３１は、揺動部材１２０の前端１２１に設けることができる。
長尺部材である揺動部材１２０の前端１２１に残数表示部３１が設けられることにより、上方領域という限定された領域において、揺動部材１２０の揺動を効果的に残数表示部３１の上下移動に活かすことができる。揺動部材１２０の一ストロークにおいて、残数表示部３１の上下の移動距離を大きく確保することができる。
【００２８】
本実施形態に係る什器１００では、残数表示部３１は揺動部材１２０に一体不可分に設けられている。ただし本実施形態は揺動部材１２０における残数表示部３１の態様に関し、これに限定するものではない。本実施形態は、揺動部材１２０は一体不可分に残数表示部３１を備える態様、揺動部材１２０において残数表示部３１が独立した部材として存在する態様を含む。
即ち、本実施形態において揺動部材１２０は、揺動する構成要素、残数表示を行う構成要素、あるいはさらに揺動しない構成要素などを適宜有してよい。これらの構成要素は、ある構成要素が他の構成要素の一部であること、ある構成要素の一部と他の構成要素の一部とが重複していること、等を許容する。
【００２９】
上述のとおり、マガジン１４０は、スカート部１３２を有する。スカート部１３２は、窓部７１を有する。窓部７１は、マガジン１４０の正面側から表示位置にある残数表示部３１を視認するための構成である。かかる趣旨から、窓部７１は前後方向の繰り抜きの窓であってもよいし、光透過性の樹脂部材などで構成された無色または有色の透明性の窓であってもよい。
本実施形態に係る什器１００において示されるスカート部１３２は、一のスカート部１３２が設けられたマガジン１４０の下段のマガジン１４０に関する残数表示部３１の表示位置を確認するための窓部７１を備えるものである。換言すると一のマガジン１４０における残数表示部３１の表示位置を確認する窓部７１は、当該一のマガジン１４０の上段に設置される他のマガジン１４０に設けられたスカート部１３２に形成された窓部７１である。
例えば残数表示部３１は、スカート部１３２の背面に接触しない程度にスカート部１３２に近接して配置される。残数表示部３１がスカート部１３２の後方において上下移動の動作を可能とする範囲で残数表示部３１をスカート部１３２の背面に近接させることにより、待避位置にあるときの残数表示部３１を充分に遮蔽することができる。
【００３０】
本実施形態に係る什器１００において、窓部７１は、揺動部材１２０が揺動し、これに連動して上方に移動した残数表示部３１の前面に対応する位置に設けられる態様を示す。即ち、什器１００において、残数表示部３１は上下移動において上方に位置するときに表示位置にあってマガジン１４０の正面側から窓部７１を介して視認可能である。一方、残数表示部３１は、窓部７１から視認されないか、あるいは上方に位置するときよりも視認される面積が有意に小さい位置にあるとき、待避位置にある。
かかる態様の什器１００では、表示位置にある残数表示部３１は窓部７１を介してマガジンの正面側から視認される。またマガジン１４０の正面側から幅方向にずれて視野角度を変更して窓部７１を観察したとき、待避位置にある残数表示部３１は、実質的に観察されないか、表示位置にある残数表示部３１と誤認する程度に観察されない。
【００３１】
マガジン１４０は、上下に移動する残数表示部３１により、搭載部１０に搭載されているたばこ商品６０の個数が所定数Ｎ以下になったことを報知する。マガジン１４０において、残数表示部３１は、揺動部材１２０が回転揺動することに連動して上下に移動し、マガジン１４０の外部から視認可能な表示位置と、この表示位置と異なる待避位置と、に遷移する。
【００３２】
本実施形態において、たばこ商品６０の個数が所定数Ｎ（Ｎは自然数）以下になったことを報知する態様は、以下の態様を含む。
即ち、第一の態様は、前進する押板２０が前後方向の上記所定の位置を通過するとき、残数表示部３１は待避位置から表示位置に遷移する。搭載される商品（たばこ商品６０）の個数が少なくなったときに残数表示部３１が視認可能となり、商品（たばこ商品６０）の個数が所定数Ｎ以下になったことを表示報知する態様である。
また、第二の態様は、前進する押板２０が前後方向の上記所定の位置を通過するとき、表示位置から待避位置に遷移する。かかる態様は、搭載される商品（たばこ商品６０）の個数が所定数Ｎを上回るとき、残数表示部３１が視認されるともに、残数表示部３１が視認されなくなったことにより所定数Ｎ以下となったことを報知する態様である。
また本実施形態は、本発明の趣旨を逸脱しない範囲において、上記第一の態様および上記第二の態様以外の残数の報知の態様を含む。
本実施形態および他の実施形態の説明では、上記第一の態様に基づき残数を報知する態様について具体的に説明する。
【００３３】
本実施形態における残数表示部３１は揺動部材１２０の前端１２１に設けられている。上記第一の態様を採用するマガジン１４０において、残数表示部３１は、表示位置にあるときマガジン１４０の正面側から視認されやすい任意の色で着色されることが好ましい。揺動部材１２０の全体を残数表示部３１に適した色で着色してもよいし、残数表示部３１を含む任意の箇所を揺動部材１２０におけるそのほかの領域を異なる色で着色することもできる。
残数表示部３１は、表示位置にあるときマガジン１４０の正面側から視認されやすい色として、色自体の色味を勘案し、例えば赤色や黄色などの彩度の高い色を選択することができる。また窓部７１の周辺の色、即ちスカート部１３２の前面の色との対比で、窓部７１から視認される残数表示部３１が目立ち易い色を選択することもできる。例えばスカート部１３２の前面を黒や灰色などの無彩色とし、残数表示部３１を例えば赤色や黄色などの彩度の高い色とすることにより、表示位置にある残数表示部３１の視認性を高めることができる。
【００３４】
一方、上記第二の態様を採用する場合、上記第一の態様と同様に残数表示部３１を目立つ色に着色することができる。即ち、搭載されるたばこ商品６０の個数が所定数Ｎを上回ることを充分に視認させるとともに、目立って視認される残数表示部３１が視認されなくなったことをもって、搭載されるたばこ商品６０の個数が所定数Ｎ以下となったことを報知することができる。
あるいは、上記第二の態様を採用する場合、上記第一の態様とは反対に、表示位置にあるときマガジン１４０の正面側から視認され難い色とする態様を採用することもできる。かかる態様では、窓部７１の周辺の色、即ちスカート部１３２の前面の色との対比で、窓部７１から視認される残数表示部３１が目立ち難い色を選択することが効果的である。具体的には、スカート部１３２の前面および残数表示部３１を同色または同系色とすることによって、表示位置にある残数表示部３１の視認性を低くする。視認性の低い残数表示部３１が待避位置に遷移することによって、残数表示部３１が視認されていたときよりも窓部７１を目立たせ、残数表示部３１が視認されなくなったことを認識させることが可能である。これによりたばこ商品６０の個数が所定数Ｎ以下となったことを報知することもできる。ここである色と他の色とが同系色とは、色味が同じであって濃淡が異なる関係にある場合、あるいは、暖色、寒色または無彩色など同じ色味の群に含まれる関係ある場合を含む。
【００３５】
本実施形態に係る什器１００において、長尺部材である揺動部材１２０は、上方領域において、たばこ商品６０の上面に対して垂下するよう、揺動軸１４１がたばこ商品６０の上面に対向する面に軸受されている。
【００３６】
かかる態様によれば、上方領域という限られた領域を有効に利用し揺動部材１２０を側壁部１２の主面と平行な面において回転方向に揺動させることができる。そして揺動部材１２０の小さい回転角度の揺動に連動させて、残数報知を行うに充分な程度に残数表示部３１を上下移動させることができる。
【００３７】
本実施形態において、例えば揺動軸１４１は、揺動部材１２０の前端１２１と後端１２２との間であって前端１２１寄りの位置に設けられている。揺動軸１４１は軸受部材１４２により棚部１３０の下面１３０ａに軸受されている。これにより揺動部材１２０は、たばこ商品６０の上面に対し垂下する。
揺動軸１４１が軸受される位置は、搭載部１０の前後方向の前方寄りとすることができる。また揺動軸１４１が軸受される位置は、搭載部１０の前後方向において、前進する押板２０の所定の位置の近傍とすることができる。尚、本実施形態において、揺動部材１２０の揺動軸１４１より前方側を前方部、揺動軸１４１より後方側を後方部と呼ぶ場合がある。
【００３８】
本実施形態において、揺動軸１４１を軸受するたばこ商品６０の上面に対向する面は、棚部１３０の下面１３０ａに限定されない。当該面は、たばこ商品６０の上方と対向する面であって、揺動部材１２０を吊り下げて支持可能な強度を備える任意の面から適宜選択されうる。より具体的には、当該面は、上段のマガジン１４０の搭載部１０の下面、またはマガジン１４０に設けられた天井部を含む。上段のマガジン１４０の搭載部１０の下面は、底板部１１の下面あるいは底板部１１よりも下方にある部材の下面を含む。マガジン１４０に設けられた天井部は、たとえば側壁部１２の上端から上方に伸長する柱部と、柱部の上端または側面からたばこ商品６０の上面を覆う方向に延在する天井面とを備えて構成することができる。
【００３９】
本実施形態の変形例として、揺動軸１４１を揺動部材１２０の後端１２２に設けることもできる。上記変形例では、揺動軸１４１がたばこ商品６０の上面に対向する面に軸受されて揺動軸１４１が垂下したとき、揺動部材１２０は後端１２２が最も高い位置にあり、前端１２１が最も低い位置になるよう配置される。かかる配置から前端１２１が上方に移動する方向に揺動部材１２０が揺動することに連動して前端１２１に設けられた残数表示部３１が上方に移動する。
【００４０】
本実施形態にかかる什器１００は、揺動部材１２０の回転方向の揺動に関する付勢手段と、これに対抗する対抗手段を備える。
即ち、什器１００は、上記回転方向に揺動する揺動部材１２０に対して一方側へ回転する回転作用を付与する付勢手段と、揺動部材１２０が一方側へ回転することに対抗する対抗作用を付与する対抗手段を有する。前進する押板２０が上記所定の位置を通過するとき、揺動部材１２０に対する上記付勢手段による上記回転作用が上記対抗手段による前記対抗作用を上回ることにより揺動部材１２０が揺動する。
【００４１】
本実施形態において、上記付勢手段および上記対抗手段を備えることにより、前進する押板２０が上記所定の位置を通過するとき、揺動部材１２０を回転揺動させることができ、またこれに連動して残数表示部３１を上下移動させることができる。
【００４２】
たとえば本実施形態に係る什器１００において、上記対抗手段は、前進する押板２０が前後方向の移動経路の最後部から上記所定の位置に至るまで揺動部材１２０に対し対抗作用を付与してよい。そして、押板２０が上記所定の位置を通過するとき上記対抗作用を上記回転作用が上回り、揺動部材１２０が回転方向に揺動する。かかる態様によれば、上記移動経路と上記最後部との間において、回転作用が揺動部材１２０に作用し始める場合に比べて、対抗手段の実施を確実なものとする。かかる態様を実現するための手段の一つとして、揺動部材１２０を搭載部１０の前後方向の長さと略同等の長さの長尺部材とすることができる。かかる揺動部材１２０であれば、押板２０の移動経路の略全長に沿って配置することができ、押板２０の移動経路の最後部から、対抗作用を揺動部材１２０に付与することができる。
【００４３】
例えば、什器１００は、付勢手段として揺動部材１２０の後端１２２に錘が付設された錘部３２を有する。錘部３２を有することにより、揺動部材１２０は垂下された状態において、揺動軸１４１の後端１２２が下がるとともに前端１２１が上がる方向に回転揺動するよう付勢される。
【００４４】
上記錘部は、付勢手段の一例である。本実施形態において付勢手段は、回転方向に揺動する揺動部材１２０に対して一方側へ回転する回転作用を付与する手段であればよい。その他の付勢手段としては、例えば、下面１３０ａと揺動部材１２０の後端１２２との間にバネなどの弾性体を設ける手段を挙げることができる。揺動部材１２０は、上記弾性体により後端１２２が下方に移動する方向に常時付勢されるとともに、適宜、対抗手段により対抗作用を受けていてよい。
また什器１００は、対抗手段として、押板２０から上方へ延在する延在部１２３を有する。延在部１２３は、底板部１１に平行な姿勢であるときの揺動部材１２０の下端に当接可能に伸長している。
延在部１２３は、押板２０における背板２２の上端面を基端とし、上方に延在する部材である。当該基端から延在部１２３の上端までの長さは、当該基端から底板部１１に平行な姿勢であるときの揺動部材１２０の下端までの距離と略同等である。これによって、揺動部材１２０が底板部１１に平行な姿勢であるとき、揺動部材１２０の下端と延在部１２３の上端とが当接可能である。
換言すると、揺動部材１２０の下端と延在部１２３の上端とが当接することによって、揺動部材１２０の姿勢を底板部１１に平行とすることができる。
延在部１２３が揺動部材１２０の下端に当接することにより、付勢手段の付勢により揺動部材１２０の後端１２２が下方に移動する方向に揺動部材１２０が回転揺動することに対抗することができる。
延在部１２３は押板２０に連結して設けられているため、押板２０の前後移動に連動して前後移動することができる。前進する押板２０が揺動軸１４１を通過して前進するとき、延在部１２３は揺動部材１２０の後方部の下端に当接しなくなる。これによって対抗手段である延在部１２３の対抗の作用が失われ、錘部３２の重みによって後端１２２が下方に移動する方向に揺動部材１２０が回転揺動する。
即ち、本実施形態に係る什器１００において、対抗手段は、押板２０が所定の位置よりも後方にあるときに付勢手段による付勢に対抗するものであり、押板２０が所定の位置を通過することにより対抗の作用を失い、揺動部材１２０が回転方向に揺動する。
延在部１２３が押板２０に連結する態様は、延在部１２３が押板２０とともに前進し、対抗手段として揺動部材１２０に対し作用を発揮しうる範囲において、特に限定されない。たとえば、上記連結には、延在部１２３が、押板２０の任意の箇所において、着脱可能に取り付けられている場合、接着されて固定される場合、一体成型されている場合を含む。
【００４５】
尚、図示省略する本実施形態の変形例として、揺動部材１２０が下方領域に設けられている場合には、延在部１２３は押板２０から下方向に延在する部材であってもよい。たとえば底板部１１に延在部１２３が前後方向に移動するための前後に伸長するスリットを設けることもできる。当該スリットを貫通して押板２０より下方向に延在する延在部１２３を下方領域に配置された揺動部材１２０に当接せしめてもよい。このときの付勢手段は、たとえば、揺動部材１２０の前端１２１に設けられた錘部であり、上記付勢手段により、前端１２１が下方に回転する回転作用が付与される。
【００４６】
本実施形態に係る什器１００に搭載されるマガジン１４０は、揺動軸１４１を支点とし、錘部３２を備える後端１２２が力点、残数表示部３１が設けられている前端１２１が作用点となっている。そして力点に対し延在部１２３が対抗作用を付与可能である。前進する押板２０が上記支点を通過するときに、回転作用が対抗作用を上回り、揺動部材１２０が回転揺動するとともに残数表示部３１が上方に移動し待避位置から表示位置に遷移する。
【００４７】
以下に図１から４を用いて、本実施形態に係る什器１００において、揺動部材１２０の回転揺動およびこれに伴う残数表示部３１の待避位置から表示位置への遷移について説明する。尚、図１及び図３は残数表示部３１が待避位置にある状態、図２及び図４は、残数表示部３１が表示位置にある状態を示す。
【００４８】
図１に示すとおり、什器１００におけるマガジン１４０は、搭載部１０にたばこ商品６０が所定数Ｎを上回るとき、押板２０は搭載部１０の後方に位置する。対抗手段である延在部１２３の上端が揺動部材１２０の後方部の下端と当接し、錘部３２の付勢により後端１２２が下方に移動する方向に揺動部材１２０が回転揺動することに対抗している。図３に示すとおり、揺動部材１２０の前端１２１に設けられた残数表示部３１は、上方領域において上方に移動する余地を残した位置にあり、スカート部１３２の後方であって窓部７１の下方に位置している。即ち、残数表示部３１はマガジン１４０の正面側から視認される表示位置とは異なる待避位置ある。
【００４９】
搭載部１０からたばこ商品６０が取り出されることにより押板２０が前進する。
図２に示すとおり、押板２０が、揺動軸１４１が設けられた位置を通過すると、延在部１２３の上端と揺動部材１２０の後方部の下端とが当接しなくなり、これによって錘部３２を備える後端１２２が下方に移動する方向へ揺動部材１２０が回転揺動する。図４に示すとおり、揺動部材１２０の前端１２１は上記回転揺動によって、窓部７１が設けられた位置まで上方に移動し、マガジン１４０の正面側から視認可能となる。即ち、揺動部材１２０の上記回転揺動により、残数表示部３１は、待避位置から表示位置に遷移する。
尚、図１から図４において、押板２０が、揺動軸１４１が設けられた位置を通過するとき、押板２０は、搭載部１０の前から６個目のたばこ商品６０の背面を押す位置から、前から５個目のたばこ商品６０の背面を押す位置に移動する。このとき残数表示部３１は待避位置から表示位置に遷移してたばこ商品６０の個数が５個以下となったことを報知する状態となる。即ち、図１から図４は残数報知される所定数Ｎが５である具体的な例を示している。また前進する押板２０が通過する所定の位置は、搭載部１０の前後方向において揺動軸１４１が設けられている位置を含む。より具体的には、上記所定の位置は、搭載部１０の前から６個目のたばこ商品６０の背面を押す位置から、前から５個目のたばこ商品６０の背面を押す位置までの間である。
【００５０】
以下、本実施形態のマガジン１４０を詳細について、図１から図４のいずれかまたは全てを用いて説明する。
搭載部１０は、上方に向けて開口する半筐体状に形成されている。搭載部１０は、底板部１１と、左右一対の側壁部１２と、底板部１１の前端に対して垂直に設けられた前壁部１３と、底板部１１の後端に対して垂直に設けられた後壁部１４と、を有する。
前壁部１３の前板部１３ａは底板部１１の前端より底板部１１の上方に向けて垂直に起立している。後板部１３ｂは、前板部１３ａから僅かに後方に離間した位置において底板部１１より垂直に起立している。
前壁部１３は、二重の板状部、すなわち前板部１３ａおよび後板部１３ｂからなる。
前板部１３ａと後板部１３ｂとの間には、商品ラベル（図示略）などが差し込まれるラベルホルダ１７が形成されている。
前壁部１３において、前板部１３ａの下端から下方に延在するスカート部１３２が設けられている。スカート部１３２の左右両端は、左右一対の側壁部１２の前端と当接している。またスカート部１３２の下端は、たばこ商品６０の上面より上方にある。スカート部１３２の下端は、待避位置にある残数表示部３１がマガジン１４０の正面側から視認されないよう、待避位置にある残数表示部３１の前面を覆うよう延在する。本実施態様においてスカート部１３２は、上記形状および取り付け位置に限定されるものではない。スカート部１３２は、表示位置にある残数表示部３１を視認するための窓部７１と待避位置にある残数表示部３１をマガジン１４０から遮蔽する遮蔽部を有する範囲において、その形状および取り付け位置を適宜変更可能である。
スカート部１３２を設ける場合には、搭載部１０からたばこ商品６０を取り出す作業の障壁にならないよう考慮することが望ましい。たとえば、スカート部１３２を可撓性の樹脂で形成することによって、取り出されるたばこ商品６０あるいは、たばこ商品６０を取り出す作業を行うオペレータの指がスカート部１３２に当接した場合に、スカート部１３２を撓ませてもよい。これにより、たばこ商品６０の取出し作業をスムーズに行うことが可能である。また図示省略するが、スカート部１３２の基端に揺動軸を設け、当該揺動軸を前壁部１３の下端に軸受させることによって、スカート部を下垂した状態と前方へ回転揺動した状態とに可動させてもよい。上記可動により、取り出されるたばこ商品６０がスカート部１３２に当接した場合に、スカート部１３２を前方へ回転揺動せしめることより、たばこ商品６０の取出しをスムーズに行うことが可能である。
図３または図４に示すとおり、スカート部１３２の幅方向および上下方向の略中央位置は、窓部７１を有する。窓部７１と、表示位置にある残数表示部３１との位置は、マガジン１４０の正面側からみて重複する。
後壁部１４も、二重の板状部、すなわち前板部１４ａおよび後板部１４ｂからなる。
後壁部１４の前板部１４ａは底板部１１の後端に対して直交するように設けられ、後壁部１４の後板部１４ｂは、前板部１４ａから僅かに後方に離間した位置において前板部１４ａと一体的に設けられている。
前板部１４ａと後板部１４ｂとの間には、商品ラベル（図示略）などが差し込まれるラベルホルダ１８が形成されている。
左右の側壁部１２は、底板部１１の左右両端に対してそれぞれ直交するように設けられ、底板部１１よりも上方に起立し、且つ、底板部１１よりも下方へ垂下している。
搭載部１０は、更に、底板部１１の下面より下方に突出したブレード１９を有している。ブレード１９は、側壁部１２の下端からさらに下方に延伸する突状部である。
搭載部１０は、例えば、無色透明樹脂などにより構成されていてもよく、あるいは無彩色を含む任意の色で着色されていてもよい。また搭載部１０の任意の領域を着色面としてもよい。例えば、前板部１３ａの任意の領域を有色透明または有色不透明としてもよい。ラベルホルダ１７に差し込まれたラベルの情報が前方より視認できるように前板部１３ａの一部を透明とするとともに、ラベルの情報の視認を防止しない領域を有色とすることもできる。
【００５１】
搭載部１０は、底板部１１と、左右の側壁部１２と、前壁部１３の後板部１３ｂと、後壁部１４の前板部１４ａと、により囲まれた半筐体状の領域に、複数のたばこ商品６０を縦置きで前後に列をなすように収容可能となっている。例えば、搭載部１０は、最大で標準寸法の１５個のたばこ商品６０を搭載（収容）可能に設計される。尚、たばこ商品６０は銘柄により前後方向寸法が異なるため、搭載部１０におけるたばこ商品６０の搭載数は、銘柄によって異なる場合がある。
【００５２】
図示省略するが、底板部１１には、底板部１１に押板２０を連結するためのスリットが、前後方向に延在するように形成されている。このスリットは、例えば、底板部１１の幅方向中央に位置している。
底板部１１の上面であってスリットの両脇には、底板部１１の上面より上方に起立し、前後方向に延在する突条部１６が形成されている。たばこ商品６０は、これら突条部１６間に架設されるようにして、搭載部１０に搭載される。たばこ商品６０は、押板２０により前方に移動される際に、これら突条部１６と、左右の側壁部１２と、にガイドされて前方に摺動する。
突条部１６の前端部は、前方に向けて上り傾斜した傾斜部１６ａとなっており、最前列に前送りされたたばこ商品６０（たばこ商品６０ａ）はこの傾斜部１６ａの傾斜に沿って上方に持ち上げられるようになっている。したがってスカート部１３２の下端は、たばこ商品６０ａの上面より上方に位置するよう構成される。
底板部１１の前端部上面において、左右の突条部１６の間の部分には、リール５０の後述する留め具５２を係止固定する係止部１１ｂが形成されている。この係止部１１ｂは、例えば、左右の突条部１６の傾斜部１６ａの間に配置され、傾斜部１６ａよりも上には突出していない。このため、係止部１１ｂがたばこ商品６０の移動を阻害しないようになっている。
【００５３】
押板２０は、底板部１１と連結された状態で、底板部１１に沿って前後移動するように設けられている。
図１から図３に示すように押板２０は、底板部１１と平行に配置され底板部１１の上面に対して摺動する摺動板２１（図１、図２）と、この摺動板２１の前端より垂直に起立するように設けられ最後列のたばこ商品６０ｂの背面を前方に付勢する背板２２を有する。押板２０は、摺動板２１との協働で底板部１１を挟持する、図示省略する挟持部を有する。リール５０は、板状体であるリール保持部２５（図１、図２）によって両側面側から保持されている。尚、図１、図２において右側のリール保持部２５だけが図示されており、リール５０の左側に位置する他方のリール保持部２５は図示省略されている。挟持部と摺動板２１とは、図示省略する連結部によって連結されている。
換言すれば、押板２０の底部は、スリットを上下に貫通し、且つ、底板部１１においてスリットの幅方向に隣接する縁部を上下から（摺動板２１と挟持部とにより）挟み込んでいる。
尚、リール５０は本実施形態における付勢部材の一例であり、その他の付勢手段を除外するものではない。また押板２０を付勢する機構も上述の説明に限定されるものではない。
【００５４】
リール５０からは、リール紐５１が、背板２２の適切な箇所に形成された図示しない開口を介して、背板２２の前方に導出されている。
上記リール紐５１の先端には、留め具５２が固定されている。この留め具５２は、底板部１１の前端部上面に設けられた係止部１１ｂに係止固定されている。リール５０のケース５３内には、図示しない渦巻き状の板バネが備えられている。その板バネの一端にリール紐５１の基端部が連結されている。板バネは、リール紐５１を導出方向とは反対の方向へ引き込むようケース５３内に引き込む方向へと、リール紐５１を付勢している。このため、押板２０は、リール紐５１により、前方に（係止部１１ｂ側に）引っ張られている。この引っ張り力により、押板２０の背板２２が最後列のたばこ商品６０（たばこ商品６０ｂ）の背面を前方に付勢している。
【００５５】
＜第２実施形態＞
次に、本発明の什器２００の実施形態の例として第２実施形態を用いて説明する。図５は、第２実施形態に係る什器２００の部分側面図であり、残数表示部３１が待避位置にある状態を示す。図６は、第２実施形態に係る什器２００の部分側面図であり、残数表示部３１が表示位置にある状態を示す。図７は、第２実施形態に係る什器２００の部分正面図であり、残数表示部３１が待避位置にある状態を示す。図８は、第２実施形態に係る什器２００の部分正面図であり、残数表示部３１が表示位置にある状態を示す。
図５および図６は、什器２００に設けられた多段の棚部１３０のうちの２段の棚部１３０を図示している。図５および図６は、２段の棚部１３０のそれぞれにマガジン２７０が設置された状態を示すが、下段のマガジン２７０については、構成の一部ついて図示省略する。図７及び図８は、什器２００における多段の棚部１３０のうちの２段の棚部１３０に設置されたマガジン２７０、および上記２段の棚部１３０より下位に位置する他の棚部１３０に設置されるマガジン２７０（図示省略）に搭載されたたばこ商品６０の上端を図示する。
本実施形態に係る什器２００は、以下に説明する点でのみ上記の第１実施形態に係る什器１００と相違し、その他の点では第１実施形態に係る什器１００と同様に構成されている。また特に、本実施形態におけるマガジン２７０は、以下に説明する点でのみマガジン１４０と相違し、その他の点では第１実施形態におけるマガジン１４０と同様に構成されている。
【００５６】
本実施形態に係る什器２００は、後述するマガジン２７０を備える。
マガジン２７０は、残数表示部が商品（たばこ商品６０）の下面と、当該商品（たばこ商品６０）を搭載するマガジン２７０の下段に位置する他のマガジン２７０に搭載される商品（たばこ商品６０）の上面との間に位置する下方領域において上下移動可能に配置されている。
マガジン２７０は、前進する押板２０が所定の位置を通過するとき、揺動部材２４０が揺動するとともに残数表示部３１が下方領域において上下に移動する。これにより、残数表示部３１がマガジン２７０の正面側から視認可能な表示位置と、表示位置と異なる待避位置と、に遷移する。より詳しくは、本実施形態に係る什器２００におけるマガジン２７０は、残数表示部３１が下方領域において上方から下方に移動することにより待避位置から表示位置へと遷移する。これにより、残数表示部３１が搭載部１０に搭載される商品（たばこ商品６０）の個数が所定数Ｎ以下になったことを報知する。
【００５７】
本実施形態に係る什器２００は、図７および図８に示すとおり、マガジン２７０が前後方向および幅方向に整然と配列されている。一のマガジン２７０と、これに上下方向に隣り合う他のマガジン２７０との間には、僅かな領域が存在する。即ち、下方領域は、一のマガジン２７０における底板部１１の下面と、下段に搭載される他のマガジン２７０に搭載されるたばこ商品６０の上面との間である。
マガジン２７０において、前壁部１３の下端および後壁部１４の下端は底板部１１よりも下方に垂下して棚部１３０の上面と当接している。かかる構成により、底板部１１と棚部１３０との間に下方領域が確保されている。
本実施形態において、一のマガジン２７０の下方領域は、前壁部１３の背面から搭載部１０の後端に設けられる後壁部１４の前面まで、および搭載部１０に搭載されるたばこ商品６０の左右一対の外側面の間である。ただし、他の例として、１つのマガジン２７０の下方領域として、前壁部１３より前方の空間あるいは後壁部１４より後方の空間を利用することもできる。
【００５８】
本実施形態に係る什器２００は、下方領域において、揺動軸１４１（図５、図６）が商品（たばこ商品６０）の下面に対向する面に軸受され、長尺部材である揺動部材２４０が搭載部１０の前後方向に伸長する向きで配置されている。例えば本実施形態において、商品（たばこ商品６０）の下面に対向する面とは、棚部１３０の上面である。
揺動軸１４１は、揺動部材２４０の前端１２１と後端１２２との間に設けられており、軸受部材１４２により、棚部１３０の上面に軸受されている。
揺動軸１４１の伸長方向は第１実施形態において説明する揺動軸１４１と同様である。また揺動部材２４０の回転揺動の方向は、揺動部材１２０と同様であるため、ここでは説明を割愛する。
揺動部材２４０の前端には残数表示部３１が設けられている。揺動部材２４０が回転揺動することにより、下方領域において残数表示部３１が上下に移動する。
【００５９】
かかる態様によれば、下方領域という限られた領域を有効に利用し揺動部材１２０を側壁部１２の主面と平行な面において回転方向に揺動させることができる。そして揺動部材１２０の小さい回転角度の揺動に連動させて、残数報知を行うに充分な程度に残数表示部３１を上下移動させることができる。
【００６０】
本実施形態にかかる什器２００は、第１実施形態と同様に付勢手段および対抗手段を備える。
什器２００における付勢手段は、揺動部材２４０の前端１２１に設けられた図示省略する錘部である。上記錘部は、揺動軸１４１を支点とする揺動部材２４０の力のモーメントの釣り合いを非均衡とすることにより前端１２１が下方に移動する方向に回転揺動を付勢する。たとえば錘部は、図示省略する錘の付設された揺動部材２４０の前端１２１である。また本実施形態における錘部は、概念的な錘部を含む。本実施形態は、揺動部材２４０の前端１２１に錘部が設けられた態様として下記の態様を含む。即ち、揺動軸１４１から後端１２２までの揺動部材２４０の長さと重さの積に対し、揺動軸１４１から前端１２１までの揺動部材２４０の長さと重さの積が上回るよう、揺動部材２４０が構成される態様も、錘部が設けられた態様に含む。
什器２００における対抗手段は、揺動部材２４０の後端１２２から上方に突出してたばこ商品６０の下面に当接する突出部３３である。突出部３３はたばこ商品６０の下面に当接することにより、揺動部材２４０の前端１２１が下方に移動する方向に揺動部材２４０が回転揺動することに対抗する。
マガジン２７０における底板部１１には、突出部３３がたばこ商品６０の下面に当接可能とするための図示省略する貫通部が設けられている。
【００６１】
本実施形態に係る什器２００において、上記対抗手段は、前進する押板２０が前後方向の移動経路の最後部から上記所定の位置に至るまで揺動部材２４０に対し対抗作用を付与する。即ち、押板２０が上記最後部から上記所定の位置に至るまで、突出部３３が当接する位置にたばこ商品６０が存在する。尚、突出部３３が当接するたばこ商品６０は、搭載部１０において前からＮ番目より後方に位置するたばこ商品６０である。
揺動部材２４０の前端１２１は、前端１２１に設けられた残数表示部３１がマガジン２７０の正面側から視認可能な程度に搭載部１０の前端側に位置することが好ましい。一方、揺動部材２４０の後端１２２は、搭載部１０において前からＮ番目より後方に位置するたばこ商品６０の下面に突出部３３が当接可能な位置にある。したがって揺動部材２４０は、Ｎ個分のたばこ商品の前後方向の厚み寸法の和で示される値よりも長い長尺部材であることが好ましい。
【００６２】
什器２００に設けられるマガジン２７０は、前壁部１３が上述するスカート部を兼用する。即ち、マガジン２７０における前壁部１３は、底板部１１の前端より底板部１１の上方に向けて垂直に起立し、且つ、底板部１１よりも下方へ垂下している。前壁部１３の底板部１１よりも下方へ垂下した部分に窓部７１が設けられている。
【００６３】
以下に図５から図８を用いて、本実施形態に係る什器２００において、揺動部材２４０の回転揺動およびこれに伴う残数表示部３１の待避位置から表示位置への遷移について説明する。尚、図５及び図７は残数表示部３１が待避位置にある状態、図６及び図８は、残数表示部３１が表示位置にある状態を示す。
【００６４】
図５に示すとおり、什器２００におけるマガジン２７０は、搭載部１０にたばこ商品６０が所定数Ｎを上回るとき、押板２０は搭載部１０の後方に位置する。対抗手段である突出部３３の上端がたばこ商品６０の下面と当接し、錘部が設けられた揺動部材の前端１２１が下方に移動する方向に揺動部材２４０が回転揺動することに対抗している。図７に示すとおり、揺動部材２４０の前端１２１に設けられた残数表示部３１は、下方に移動する余地を残した位置にあり前壁部１３の後方であって窓部７１の上方に位置している。即ち、残数表示部３１はマガジン２７０の正面側から視認される表示位置とは異なる待避位置にある。
【００６５】
搭載部１０からたばこ商品６０が取り出されることにより押板２０が前進する。
図６に示すとおり、押板２０が前進し、突出部３３と当接するたばこ商品６０の背面を押す位置を通過すると、突出部３３は当接するたばこ商品６０を失う。これにより、錘部が設けられた揺動部材２４０の前端１２１が下方に移動する方向へ揺動部材２４０が回転揺動する。図８に示すとおり、揺動部材２４０の前端１２１は上記回転揺動によって、窓部７１が設けられた位置まで下方に移動し、マガジン２７０の正面側から視認可能となる。即ち、揺動部材２４０の上記回転揺動により、残数表示部３１は待避位置から表示位置に遷移する。
尚、図５から図８において、押板２０が、突出部３３が当接する、前方から４番目のたばこ商品６０の背面を押す位置を通過するとき、揺動部材２４０は回転揺動する。このとき残数表示部３１は待避位置から表示位置に遷移し、たばこ商品６０の個数が３個以下となったことを報知する状態となる。したがって、図５から図８は残数報知される所定数Ｎが３である具体的な例を示している。本実施形態は、対抗手段である突出部３３が当接するたばこ商品６０を失うとともに前進する押板２０が所定の位置を通過する際、揺動部材２４０が回転揺動する。本実施形態において押板２０が通過する所定の位置は、突出部３３が当接するたばこ商品６０の背面を押す位置から、突出部３３が当接するたばこ商品６０の前に位置する他のたばこ商品６０の背面を押す位置までの間である。
【００６６】
本実施形態に係る什器２００に搭載されるマガジン２７０は、揺動軸１４１を支点として、錘部を備える前端１２１が力点、一方の端部である後端１２２が作用点となっている。前進する押板２０が上記支点を通過する前に、回転作用が対抗作用を上回り、揺動部材２４０が回転揺動するとともに残数表示部３１が下方に移動し待避位置から表示位置に遷移する。
【００６７】
上記実施形態は、以下の技術思想を包含するものである。
（１）側壁部および複数の商品を搭載するための底板部を有し前記商品が前後方向に一列に搭載される搭載部と、前記搭載部に沿って前後移動するように設けられた押板と、前記押板を前方に付勢する付勢部材と、前記押板が前後方向の所定の位置を通過する際に揺動する揺動部材と、前記搭載部に搭載される前記商品の個数が所定数Ｎ（Ｎは自然数）以下となったことを報知する残数表示部と、を備えるマガジン、および、前記マガジンを搭載するための多段の棚部を備える什器であって、
前記残数表示部は、前記商品の上面と、当該前記商品を搭載する前記マガジンの上段に位置する他のマガジンの下面との間に位置する上方領域または前記商品の下面と、当該前記商品を搭載する前記マガジンの下段に位置する他のマガジンに搭載される商品の上面との間に位置する下方領域において上下移動可能に配置されており、
前進する前記押板が前記所定の位置を通過するとき、前記揺動部材が揺動するとともに前記残数表示部が前記上方領域または前記下方領域において上下に移動することにより、前記マガジンの正面側から視認可能な表示位置と、前記表示位置と異なる待避位置と、に遷移して前記商品の個数が前記所定数Ｎ以下になったことを報知することを特徴とする什器。
（２）前記揺動部材は、前記前後方向に伸長する長尺部材であって前端と後端とを有し、前記前端から前記後端までの間に揺動軸を備え前記側壁部の主面に平行な面内において回転方向に揺動し、
前記揺動部材の前記前端は、前記揺動部材の揺動により上方へまたは下方へと上下移動する上記（１）に記載の什器。
（３）前記残数表示部は、前記揺動部材の前記前端に設けられている上記（２）に記載の什器。
（４）前記回転方向に揺動する前記揺動部材に対して一方側へ回転する回転作用を付与する付勢手段と、前記揺動部材が前記一方側へ回転することに対抗する対抗作用を付与する対抗手段を有し、前進する前記押板が前記所定の位置を通過するとき、前記揺動部材に対する前記付勢手段による前記回転作用が前記対抗手段による前記対抗作用を上回ることにより前記揺動部材が揺動する上記（２）または（３）に記載の什器。
（５）前記上方領域において、前記長尺部材である前記揺動部材が前記商品の上面に対して垂下するよう、前記揺動軸が前記商品の上面に対向する面に軸受されている上記（４）に記載の什器。
（６）前記揺動軸が、前記揺動部材の前記前端と前記後端との間に設けられている上記（５）に記載の什器。
（７）前記付勢手段が前記揺動部材の前記後端に設けられた錘部であり、
前記対抗手段が、前記押板から上方へ延在する延在部であり、
前記延在部は、前記底板部に平行な姿勢の前記揺動部材の下端に当接可能に伸長しており、前記延在部が前記揺動部材の下端に当接することにより、前記揺動部材の前記前端が下方に移動する方向に前記揺動部材が回転揺動することに対抗する上記（６）に記載の什器。
（８）前記下方領域において、前記揺動軸が前記商品の下面に対向する面に軸受され、前記長尺部材である前記揺動部材が前記前後方向に伸長する向きで配置されている上記（４）に記載の什器。
（９）前記揺動軸が、前記揺動部材の前記前端と前記後端との間に設けられている上記（８）に記載の什器。
（１０）前記付勢手段が、前記揺動部材の前端に設けられた錘部であり、
前記対抗手段が、前記後端から上方に突出して前記商品の下面に当接する突出部であり、
前記突出部は前記商品の下面に当接することにより、前記揺動部材の前記前端が下方に移動する方向に前記揺動部材が回転揺動することに対抗する上記（９）に記載の什器。
【符号の説明】
【００６８】
１０・・・搭載部、１１・・・底板部、１１ｂ・・・係止部、１２・・・側壁部、１３・・・前壁部、１３ａ・・・前板部、１３ｂ・・・後板部、１４・・・後壁部、１４ａ・・・前板部、１４ｂ・・・後板部、１６・・・突条部、１６ａ・・・傾斜部、１７・・・ラベルホルダ、１８・・・ラベルホルダ、１９・・・ブレード、２０・・・押板、２１・・・摺動板、２２・・・背板、２５・・・リール保持部、３１・・・残数表示部、３２・・・錘部、３３・・・突出部、５０・・・リール、５１・・・リール紐、５２・・・留め具、６０・・・たばこ商品、６０ａ・・・たばこ商品、６０ｂ・・・たばこ商品、５３・・・ケース、７１・・・窓部、１００・・・什器、１２０・・・揺動部材、１２１・・・前端、１２２・・・後端、１２３・・・延在部、１３０・・・棚部、１３０ａ・・・下面、１３１・・・前壁部下端、１３２・・・スカート部、１４０・・・マガジン、１４１・・・揺動軸、１４２・・・軸受部材、２００・・・什器、２４０・・・揺動部材、２７０・・・マガジン
【図１】
2014188313.tif 000003
【図２】
2014188313.tif 000004
【図３】
2014188313.tif 000005
【図４】
2014188313.tif 000006
【図５】
2014188313.tif 000007
【図６】
2014188313.tif 000008
【図７】
2014188313.tif 000009
【図８】
2014188313.tif 000010